(57)【要約】【課題】納豆を包装する容器は  調味料（たれ）、辛子はそれぞれ別の容器（袋）に入り同梱されており  容器本体の蓋を開け  さらに調味料（たれ）、辛子の容器（袋）を開け  納豆にかけ  箸等道具を使用し攪拌混合し  対象物（ご飯等）に箸等道具を使用しかけなければならない。手間がかかり  手が汚れ  箸等道具が必要で  ゴミも数多く出て  回りも汚れる。【解決手段】納豆を収納している容器本体（袋）内で  容器本体を開封することなく  簡単に調味料（たれ）、辛子を容器本体に入っている納豆に注ぎ入れ同一容器本体内で簡単に納豆、調味料（たれ）、辛子を攪拌混合できる。攪拌混合した納豆をご飯等対象物にかける時も  １ヶ所を開封する事で道具を使用せず簡単に絞り出せ  手を汚さず、ゴミの発生も抑えられる。【選択図】図１
2014061938.tif 000002
【特許請求の範囲】
【請求項１】
薄く柔らかい材質を使用した容器本体（袋）に納豆を収納する納豆室と調味料（たれ）、辛子等を収納する調味室とをそれぞれ独立して隣接して設け  隣接した前記各室を隔てる隔壁或は接着部が  容器本体（袋）を開封せず外部から人の手で調味料室に圧力を加えることで容易に破れ（接着部剥離或は破断）、前記各調味料室に収納されている調味料（たれ）、辛子等が直接前記納豆室の納豆に簡単に注入され  さらに薄く柔らかい材質で構成される容器本体の中で一緒になった納豆と調味料（たれ）、辛子等を人の手で容器本体ごと揉み解す事で  容器本体を開封せずに道具も使用しないで攪拌混合できる機能を有することを特徴とする納豆容器
【請求項２】
前記調味料室は  調味料（たれ）、辛子等それぞれ独立し密封されており  容器本体に納豆室と隔壁で分割区分されるか、それぞれの容器（袋）が容器本体と開口部で接着外付けされるか、容器本体内に開口部を中に入れた状態で接着内付けされ収納されるか、いずれの方法でも  独立したそれぞれの調味料室を人の指で両側もしくは片側から押し圧することで  前記納豆室側の隔壁部或は接着部が破れ（接着部剥離或は破断）容器本体を開封することなく調味料（たれ）、辛子等が直接納豆室の納豆に注入されることを特徴とする
請求項１に記載の納豆容器。
【請求項３】
前記容器本体を開封しないで  納豆と調味料（たれ）、辛子等の攪拌混合を行った後  容器本体から攪拌混合された納豆を  容器片側部か両端部か先端部を手で切ることで簡単に開封ができ  薄く柔らかい材質で構成される容器本体自体を絞り出すことで  開口部から納豆を簡単にご飯等対象物にかけることができる  請求項１に記載する納豆容器。
【請求項４】
請求項３に記載の納豆容器にあって  容器本体（袋）内面、内容物との接触部を滑り易く、納豆がくっ付き難い状態にする為  滑り易い材質をラミネート、コーティング等を施し  粘度が高く粘り気のある攪拌混合後の納豆を簡単にスムーズに開口部から注出し  ご飯等対象物にかけることができることを特徴とする納豆容器。
【請求項５】
請求項１及至請求項４のいずれかに記載の納豆容器にあって  薄く柔らかい容器本体材質は  消費者が使用するまでの保管、運搬、流通、取扱いに耐えうる強度を有し  攪拌混合時の手での揉み解しでも  容器本体は破れることがない強度を有する事を特徴とする納豆容器。
【請求項６】
請求項１及至請求項４のいずれかに記載の納豆容器にあって  独立した各々の調味料室は  柔らかいが内容物の保存性、納豆に影響を及ぼす成分の気密性に優れた材質で構成され  人の手（指）で強く押し圧されることで  納豆室に隣接する隔壁部或は接着部のみ剥離或は破断するが  調味料（たれ）、辛子を注入するまでの保管、運搬、流通、取扱いで調味料室から納豆室及び外部に成分が漏れない破断強度、接着強度、密封性を有することを特徴とする納豆容器。
【発明の詳細な説明】
【技術分野】
【０００１】  この発明は、容器の蓋を開けることなく、手を汚さずに、容器本体内の納豆に調味料（たれ）や辛子等を注ぎ  攪拌混合できる納豆容器に関する。
【背景技術】
【０００２】  従来の納豆に用いられている容器は  調味料（たれ）と辛子等は別の袋にそれぞれ分けて  納豆の入っている容器本体に同封し  使用時に容器本体の蓋を開けそれぞれを取り出し開封し  納豆に注ぎ入れ  容器本体の中で箸等道具を使用し攪拌混合（かき混ぜ）し  対象物（ご飯等）にかけ食している。【０００３】しかしながら、上記納豆容器本体に調味料（たれ）、辛子等の容器（袋）が同封される形式の従来の納豆容器にあっては  使用時に容器本体の蓋を開ける、調味料（たれ）、辛子等の袋を容器本体からそれぞれ取り出す、取り出した調味料（たれ）、辛子等の袋を開ける、それぞれを納豆に注ぎ入れる、容器本体の中で箸等道具を使用して攪拌混合する、攪拌混合後の納豆をご飯等対象物に箸等道具を使用してかける等  食べるまでに非常に手間が掛っている。又調味料（たれ）、辛子、納豆の粘り成分で手が汚れ、ゴミも多く出、後始末が大変等課題を有していた。
【先行技術文献】
【０００４】
【特許文献１】特開２００２−１７９１７４納豆容器本体と開閉可能な蓋とで構成され  従来は容器本体の蓋を開け別々に袋に入れられている調味料、調味料具材を取り出し、それぞれ開封し納豆に注いでいた。食するまでに手間のかかる煩雑な作業を  蓋を開けずに調味料、調味料具材等収納された凹部上の天井面を押し圧するだけで調味料、調味料具材を直接納豆へ簡単に注入されるとしている。
上記蓋平面部に容器本体方向に開口する調味料、調味料具材を収納する凹部を作り  調味料、調味料具材が収納された状態でその開口部が易断シール体により密封できるようにし  凹部内に先端部が易断方向に延びる破断突起体を形成することで  収納凹部の天井面を容器本体方向に押し圧することにより  突起体が易断シールを破断し  凹部内に収納されている調味料、調味料具材が直接本体容器の納豆に注入でき  手を汚さず手間がはぶけるとしている
【０００５】特許文献１の納豆容器は  調味料、調味料具材を蓋を開けずに、手を汚ごすことなく簡単に直接注ぎ入れることができるとするものである。しかし容器本体の蓋を開封することなく  調味料、調味料具材収納部の凹部の天井面を一方向からのみ押し圧するだけでは易断シール体を破断するためには圧力が弱く  破断突起体を凹部に付けているが従来容器蓋の発泡ポリスチレン材質では硬度をあげて破断しやすくすることは難しく  使用前の十分な密封強度を保ちながら破断機能を満たすことは難しい。蓋及び破断突起体の材質を硬くするには  他の必要な容器機能を損なう（蓋と容器のシール性等）弊害、部分的に硬くする為には部品を増やす必要がありコストアップが避けられない。
【０００６】２０１２年に  同じ出願者より発売された『金のつぶ  パキッ！とたれ  とろっ豆』は  この収納された調味料を注ぐ為の破断機能を実現する為に容器から蓋を取り外し  折り曲げることで十分な密封強度を保ちつつ、破断機能を実現していることからも  蓋を開けずに一方向からの押し圧で破断機能と密封機能を両立する事難しいことが分かる。
【０００７】加えて上記容器の特徴の  蓋を開けずに調味料、調味料具材を簡単に納豆に注ぎ入れるだけでは  最も手間のかかる注ぎ入れた後の箸等道具を使用した攪拌混合と攪拌混合後納豆をご飯等対象物にかける作業は従来通りであり  まだ手間が掛り、手を汚す納豆の粘着成分が付着する問題は解決できていない。
【発明が解決しようとする課題】
【０００８】従来の技術及び特許文献１の納豆容器では  容器本体の蓋を開けずに調味料（たれ）、辛子等を容器本体の納豆に直接かけることは難しい。
すなわち  容器本体の蓋を開け調味料（たれ）、辛子等の容器（袋）を取り出しそれぞれ開封し納豆に掛けるか  蓋を開けてから強い力をかけて易断シール部を破壊し蓋内に収納されていた調味料（たれ）、辛子等を納豆にかけるかいずれかであった。納豆に  調味料（たれ）、辛子等を注ぎ入れた後の  攪拌混合、ご飯等対象物への注入には箸等道具が必要であり手間が掛り  手、周辺も汚れ易かった。
そこでこの発明は  調味料（たれ）、辛子等の納豆への注入と攪拌混合を容器本体を開けることなく行い  なお且攪拌混合後の納豆を箸等道具を使用せずにご飯等対象物にかけることが出来る容器を提供することを課題とする。
【課題を解決するための手段】
【０００９】上記目的を達成する為に  この発明にあっては納豆を収納する容器本体に柔らかい材質を使用し  納豆を収納する納豆室と調味料（たれ）、辛子等を収納する調味料室を隣接して設け  納豆室と調味料室の隔壁が容器本体を開封することなく  調味料室を外部から人の手で押し圧を加えることにより容易に破壊（接着部剥離もしくは破断）されることにより  調味料室に収納されていた調味料（たれ）、辛子等が押し出され  納豆室（容器本体）に収納されている納豆に注ぎ込まれる。
この様に容器本体を開封することなく  簡単に納豆に注ぎ込まれた調味料（たれ）、辛子等を  薄く柔らかい材質で構成される容器本体の中で  容器本体ごと揉み解すことで  開封せずに道具を使用しないで納豆、調味料（たれ）、辛子等を攪拌混合することができる。
さらに  攪拌混合された納豆は  容器本体の一部を開封することで  簡単に手、周辺を汚すことなくご飯等対象物に  絞り出しかけることができる。
容器本体に使用する材質は  納豆の攪拌混合と開封後の絞りだしを行う為  薄く柔らかい材質を使用するが  強靭で柔軟性があり人の手で揉み解しても破断することはなく  保管、運搬、流通等での取扱いに耐えうる強度を有する材質で構成される。
【発明の効果】
【００１０】本発明によれば納豆容器において  容器本体を開封しないで  容器本体に隣接して設置されている調味料（たれ）、辛子等のそれぞれの調味料室を手（指）で押し圧することで開封し  納豆室（容器本体）の納豆に注ぎ入れることができる。容器本体は柔らかく強靭な材質で構成されており  納豆室（容器本体）に収納されている納豆と注入された調味料（たれ）、辛子等を容器本体を開封することなく容器本体ごと手で揉み解し攪拌混合できる。又攪拌混合後の納豆を  容器本体の一部を開封することで  箸等道具を使わず開口部からご飯等対象物に簡単にかけることができる。
これにより  従来調味料（たれ）、辛子等の容器（袋）を容器本体の蓋を開け取り出し開封、注入し  箸等道具を使用し納豆、調味料（たれ）、辛子等を攪拌混合し  攪拌混合後の納豆を箸等道具を使用してご飯等対象物にかけるという納豆を食するまでに手間が掛っていた作業が大幅に軽減され  手、周辺も汚れに難く  ゴミも少なくなる。
【図面の簡単な説明】
【００１１】
【図１】納豆容器全体像  納豆、調味料（たれ）、辛子が収納された状態
【図２】納豆容器の納豆収納する納豆室、調味料（たれ）、辛子を収納する調味料室の設置方法と調味料（たれ）、辛子の注出方法を表す。実例（Ａ）（Ｂ）（Ｃ）  Ａ−Ａ断面は調味料室開口部の開封前と開封後を示す
【図３】納豆容器の納豆と注ぎ入れた調味料（たれ）、辛子の攪拌混合方法を示す
【図４】納豆容器の攪拌混合後にご飯等対象物にかける方法を表す
【図５】納豆容器の  攪拌混合後の納豆を取り出しやすい容器本体形状、開口部位置、形状を表す。実例（Ａ）（Ｂ）（Ｃ）
【発明を実施するための形態】
【００１２】以下  本発明のいくつかの実施形態を図面を参照にして詳細に説明する。
図１は  納豆容器のこの発明の一実施形態を示しており  容器本体１は柔軟性のある薄いフィルムで形成され  納豆の入った納豆室１０と調味料（たれ）、辛子の入った調味料室１１，１２が隔壁により隣接し設置され一体となった図である。
【００１３】この納豆容器における容器本体は  強靭で柔軟性がある低密度ポリエチレン等樹脂製フィルム或は加工紙で構成され  強度、機能、気密性を保持する為にナイロン、ＰＥＴ等樹脂フィルムのラミネート、アルミ、シリカ蒸着、コーティング等が施される場合がある。
【００１４】この納豆容器における  調味料（たれ）、辛子を収納する調味料室１１，１２は  強靭で柔軟性があると共に  調味料（たれ）の保存性を保ち、辛子に含有される納豆の発酵を阻害する揮発成分の揮発を防止できる材質（ナイロン、ＰＥＴ等樹脂フィルムのラミネート、アルミ、シリカ等蒸着、コーティング等）を使用する。
又押し圧により開封された開口部から粘度のある調味料（たれ）、辛子が簡単に押し出せる柔らかさのある材質で構成される。
【００１５】図２は  納豆容器において  容器本体の納豆室１０と調味料室１１，１２の設置構成、設置方法、調味料室の開封方法を示す図である。納豆と調味料（たれ）、辛子はそれぞれ独立した納豆室１０、調味料室１１，１２に収納されている。納豆室は  調味料（たれ）、辛子が注ぎ込まれた後の攪拌混合に使用する為広くスペースを設け  調味料（たれ）、辛子はそれぞれ必要性に応じた容積に設定されている。
【００１６】納豆室と調味料室の設置方法は  （Ａ）容器本体を納豆室、調味料室に分けて圧着（接着或は熔着）し隔壁を作る。（Ｂ）容器本体（納豆室）とは別に  調味料（たれ）、辛子の調味料室（袋）を設け  外付けで容器本体と接着或は熔着させて隣接して設置する。（Ｃ）容器本体（納豆室）とは別に調味料（たれ）、辛子の調味料室（袋）を設け  容器本体内部に入れた状態で外周部に接着或は溶着し内付けする。
【００１７】（Ａ）は容器本体が納豆室１０と調味料室１１，１２に接着或は熔着された隔壁１４によりそれぞれ分割され密封されているが  納豆室と隣接する部分の調味料室の隔壁１５ａ，１５ｂの接着強度は  手（指）で調味料室を強く押し圧することで接着部が剥離或は破断する強度に調整し  押し圧により開いた開口部１６ａ，１６ｂより簡単に調味料（たれ）、辛子を注入できる構造とする。
【００１８】（Ｂ）は容器本体（納豆室）に調味料（たれ）、辛子の調味料室１１，１２を容器本体外周部に接着１３外付けする。容器本体の外周部に調味料室開口部側を一緒に完全接着１３をさせる。調味料室は容器本体側の開口部１５ａ，１５ｂのみ手（指）による押し圧で剥離或は破断する接着強度とし  押し圧により開いた開口部１６ａ，１６ｂより簡単に調味料（たれ）、辛子を注入できる構造とする。
【００１９】（Ｃ）は容器本体（納豆室）に  調味料（たれ）、辛子の調味料室を容器本体の中に入れた状態で接着し設置する。容器本体外周部と調味料室の開口部と逆側を完全接着１３し  調味料室は開口部１５ａ，１５ｂ側のみ（本体容器と接着された逆側）調味料室への押し圧で剥離或は破断する接着強度とし  押し圧により開いた開口部１６ａ，１６ｂより簡単に調味料（たれ）、辛子を注入できる構造とする。
【００２０】上記（Ａ）（Ｂ）（Ｃ）調味料（たれ）、辛子を収納している調味料室は  それぞれ独立して密封されており  好みに応じ必要な調味料のみ該当する調味料室を押し圧し注ぎ入れることができる。
【００２１】図３は  容器本体において  調味料室の調味料（たれ）、辛子を納豆室に注ぎ入れた後の攪拌混合を示す図である。両手で柔らかいフィルムで形成された容器本体ごと揉み解し  容器本体の中の納豆と調味料（たれ）、辛子が簡単に攪拌混合できる。
【００２２】本体容器の材質は  保管、輸送、流通、消費者が使用するまで  内容物が漏れない強度を保持でき  揉み解し攪拌混合の時でも  漏れ、破断が発生しない強度を有するものであると共に  両手での揉み解し攪拌混合時に  手が痛くならない柔らかさ、柔軟性を兼ね備える。
【００２３】図４は  容器本体（納豆室）の中で  攪拌混合された納豆、調味料（たれ）辛子を  容器本体の一部を開封し  ご飯等対象物にかける方法を示す図である。
容器本体は  前述のように薄く柔らかいフィルム素材で構成されており  容器の一部を開封すれば  開口部１７より容易に攪拌混合をした納豆を簡単に絞り出すことが出来る。
【００２４】図５は  攪拌混合後の納豆を  簡単に取り出す為の  容器本体の形状、開口部の位置、形状を表した例（Ａ）（Ｂ）（Ｃ）である。片側１７ａ、もしくは両端（横一線）１７ｂ、先端１７ｃ等容器本体の一部を簡単に手で切ることが出来、開封することが出来る構成とする。
【００２５】使用後の容器本体は  薄く柔らかい素材であるため簡単に丸めて廃棄し易く周辺を汚すことが少なくなる。
【００２６】攪拌混合された納豆は  粘度が高く粘り気があり  容器本体内部に付着して納豆がくっ付き出し難いため  攪拌混合された納豆と接する容器本体内側を滑り易い状態（シリコン等コーティング、フィルムラミネート等）にすると容器本体からご飯等対象物に容易にかけられ  容器本体に納豆が残り難い。
【００２７】納豆は  発酵中の納豆菌の生育に必要な通気をしないと発酵できないので  発酵中は納豆室片側（調味料室と逆側）を開放しておき発酵後密封するか  保管、運搬、流通等消費者が使用する迄及び攪拌混合時に調味料等が漏れたりにじみでない程度の通気孔を設けることが望ましい。これには  容器本体の材質に通気する材質を使用するか  容器本体シール面に通気孔を設ける方法が考えられる。
【符号の説明】
【００２８】１    容器本体
１０  納豆室（納豆）
１１  調味料室（調味料：たれ）
１２  調味料室（辛子）
１３  容器本体と調味料室の接着部
１４  容器本体と調味料室の隔壁部
１５  調味料室開口部（接着した状態）調味料：たれ１５ａ，辛子１５ｂ
１６  調味料室開口部（開いた状態）調味料：たれ１６ａ，辛子１６ｂ
１７  容器本体取り出し開口部  １７ａ，１７ｂ，１７ｃ
【図１】
2014061938.tif 000003
【図２】
2014061938.tif 000004
【図３】
2014061938.tif 000005
【図４】
2014061938.tif 000006
【図５】
2014061938.tif 000007